(57)【要約】【課題】小さなメモリ容量でラスタイメージデータを圧縮することができるとともに圧縮処理の負担が軽減された画像処理装置および画像処理プログラムを提供する。【解決手段】ラスタライズ部５＿１１１で、取得したページ記述データにより表わされるプレーン全域を複数の部分領域に分けたときの各部分領域ごとに順次にラスタイメージデータに変換し、圧縮処理部５＿１１２で、ラスタライズ部５＿１１１により得られた各プレーンの、オブジェクトを含む部分領域ごとのラスタイメージデータについては圧縮処理を施すとともに、背景のみの部分領域については空コードを生成してプリンタに向けて出力する。【選択図】　　　　図４
2004088195.tif 000002
【特許請求の範囲】
【請求項１】
一様な背景の上に１つ以上のオブジェクトが配されてなる全体画像を表わす原画像を取得してラスタイメージデータに変換し、該ラスタイメージデータを圧縮して出力する画像処理装置において、
取得した原画像により表わされる全体画像全域を複数の部分領域に分けたときの各部分領域ごとに順次にラスタイメージデータに変換するデータ変換部と、
前記データ変換部により得られた各部分領域ごとのラスタイメージデータに、背景以外のオブジェクトを含む部分領域については圧縮処理を施すとともに、背景のみの部分領域については、圧縮処理を施すことに代わり、背景のみであることを表わす指標を対応づける圧縮処理部とを備えたことを特徴とする画像処理装置。
【請求項２】
前記データ変換部は、前記全体画像を、オブジェクトの種別に応じて、相互に重ね合わせたときに該全体画像が再現する複数のプレーンに分けたときの各プレーンそれぞれに関し、１つのプレーン全域を複数の部分領域に分けたときの各部分領域ごとに順次にラスタイメージデータに変換するものであり、
前記圧縮処理部は、各プレーンそれぞれに関し、背景以外のオブジェクトを含む部分領域については該部分領域のラスタイメージデータに圧縮処理を施すとともに、背景のみの部分領域については、圧縮処理を施すことに代わり、背景のみであることを表わす指標を対応づけるものであることを特徴とする請求項１記載の画像処理装置。
【請求項３】
プログラムを実行する情報処理装置内で実行され、該情報処理装置を、一様な背景の上に１つ以上のオブジェクトが配されてなる全体画像を表わす原画像データを取得してラスタイメージデータに変換し、該ラスタイメージデータを圧縮して出力する画像処理装置として動作させる画像処理プログラムであって、
前記情報処理装置を、
取得した原画像データにより表わされる全体画像全域を複数の部分領域に分けたときの各部分領域ごとに順次にラスタイメージデータに変換するデータ変換部と、
前記データ変換部により得られた各部分領域ごとのラスタイメージデータに、背景以外のオブジェクトを含む部分領域については圧縮処理を施すとともに、背景のみの部分領域については、圧縮処理を施すことに代わり、背景のみであることを表わす指標を対応づける圧縮処理部とを備えた画像処理装置として動作させることを特徴とする画像処理プログラム。
【請求項４】
前記データ変換部は、前記全体画像を、オブジェクトの種別に応じて、相互に重ね合わせたときに該全体画像が再現する複数のプレーンに分けたときの各プレーンそれぞれに関し、１つのプレーン全域を複数の部分領域に分けたときの各部分領域ごとに順次にラスタイメージデータに変換するものであり、
前記圧縮処理部は、各プレーンそれぞれに関し、背景以外のオブジェクトを含む部分領域については該部分領域のラスタイメージデータに圧縮処理を施すとともに、背景のみの部分領域については、圧縮処理を施すことに代わり、背景のみであることを表わす指標を対応づけるものであることを特徴とする請求項３記載の画像処理プログラム。
【発明の詳細な説明】
【０００１】
【発明の属する技術分野】
本発明は、一様な背景の上に１つ以上のオブジェクトが配されてなる全体画像を表わす原画像データを取得してラスタイメージデータに変換し、圧縮して出力する画像処理装置、および情報処理装置にローディングされてその情報処理装置を上記画像処理装置として動作させるための画像処理プログラムに関する。
【０００２】
【従来の技術】
従来より、パーソナルコンピュータ等を使って文書の編集や印刷を行なうＤＴＰ（Ｄｅｓｋ　Ｔｏｐ　Ｐｕｂｌｉｓｈｉｎｇ）システムが広く用いられている。このＤＴＰシステムでは、編集用ワークステーション上で編集用ソフトウェア（ＤＴＰアプリケーション）を用いて画像、テキスト、線画等のレイアウトを決める編集作業を行ない、その結果を一般的にＰＳ（ＰｏｓｔＳｃｒｉｐｔ）データというページ記述言語で出力する。出力されたＰＳデータはＲＩＰ（Ｒａｓｔｅｒ　Ｉｍａｇｅ　Ｐｒｏｃｅｓｓｏｒ）としての機能を持つ画像処理装置に送られる。この画像処理装置は、ＰＳデータを取得して、例えば印刷用のラスタイメージデータ（ビットマップデータ）に変換してプリンタ等の出力デバイスに出力する。ここで、取得したＰＳデータをラスタイメージデータに変換するにあたり、先ず１ページ分のＰＳデータを解釈（インタープリッタ）し、次いでラスタイメージデータに変換するのに適した中間データを生成し、その生成された中間データに基づいて最終的にラスタイメージデータに変換するという、いわゆるレンダリング処理が行なわれる。しかし、１ページ分のＰＳデータを比較的高い解像度でラスタイメージデータに変換すると、ラスタイメージデータの量は膨大になる。このように膨大な量のラスタイメージデータを出力デバイスに転送するのでは、画像処理装置と出力デバイスとの間での転送時間が長いという問題が発生する。そこで、データ圧縮技術を用いてラスタイメージデータを圧縮し、圧縮されたラスタイメージデータを出力デバイスに向けて出力することにより、画像処理装置と出力デバイスとの間での転送時間を短縮するということが行なわれている。出力デバイス側では、圧縮されたラスタイメージデータを伸長し、伸長したラスタイメージデータからなる画像を出力する。
【０００３】
【発明が解決しようとする課題】
しかし、上述した画像処理装置は、１ページ分のラスタイメージデータを一度にまとめて圧縮処理するものであるため、容量の大きなメモリが必要とされる。また、ページのごく一部にしかオブジェクトが配されていない（マーキングされていない）場合であっても、そのページの、マーキングされていない大部分を占める空白領域に対しても圧縮処理を施す必要がある。従って、画像処理装置における圧縮処理の負担が大きいという問題がある。
【０００４】
本発明は、上記事情に鑑み、小さなメモリ容量でラスタイメージデータを圧縮することができるとともに圧縮処理の負担が軽減された画像処理装置および画像処理プログラムを提供することを目的とする。
【０００５】
【課題を解決するための手段】
上記目的を達成する本発明の画像処理装置は、一様な背景の上に１つ以上のオブジェクトが配されてなる全体画像を表わす原画像データを取得してラスタイメージデータに変換し、そのラスタイメージデータを圧縮して出力する画像処理装置において、
取得した原画像データにより表わされる全体画像全域を複数の部分領域に分けたときの各部分領域ごとに順次にラスタイメージデータに変換するデータ変換部と、
上記データ変換部により得られた各部分領域ごとのラスタイメージデータに、背景以外のオブジェクトを含む部分領域については圧縮処理を施すとともに、背景のみの部分領域については、圧縮処理を施すことに代わり、背景のみであることを表わす指標を対応づける圧縮処理部とを備えたことを特徴とする。
【０００６】
尚、本発明にいう原画像データとは、ページ記述データ、連続階調データ、テキストデータ、図形データ等の画像データをいう。また、ラスタイメージデータとは、例えばプリンタに出力する場合は、印刷用データである。
【０００７】
本発明の画像処理装置は、取得した原画像データにより表わされる全体画像全域を複数の部分領域に分けたときの各部分領域ごとのラスタイメージデータに、背景以外のオブジェクトを含む部分領域について圧縮処理を施すものであるため、１ページ分のラスタイメージデータを一度にまとめて圧縮処理する技術と比較し、小さな容量のメモリで済む。また、背景のみの部分領域については、圧縮処理を施すことに代わり、背景のみであることを表わす指標を対応づけるものであるため、背景のみの部分領域に対しても圧縮処理を施す技術と比較し、圧縮処理の負担が軽減される。
【０００８】
また、ページ記述データであるポストスクリプトデータには、全体画像内に配置する各オブジェクトの種類（テキスト、図形、速続階調画像など）、内容（文字コード、図形の種類や色、連続階調画像のデータ値など）、サイズ、配置位置（座標）などが記述されている。各部分領域ごとにラスターイメージデータに変換する際にこのようなポストスクリプトデータの内容を参照すれぱ、ラスタライズした部分領域が背景のみなのか、あるいはどのようなオブジェクトが存在するのかを判断することができる。そして判断した結果を圧縮処理部に受け渡すようにすればよい。
【０００９】
さらに、「一様な背景」とは、背景以外にオブジェクトを配置しないときに全体画像の全領域に渡って同じデータ値を有するものを表し、例えば、何もオブジェクトが配置されていない状態であってもよく、全体画像と同じ大きさのベタの図形を表すオブジェクトであってもよい。
【００１０】
また、ラスタライズした部分領域が背景のみなのかを判断するのに先立って、全体画像と同じ大きさのベタの図形を表すオブジェクトがポストスクリプトデータに記述されているか否かを判定し、そのようなオブジェクトが存在する場合は該オブジェクトのみの部分領域を背景のみとするようにするとよい。そのようにすれば、全体画像と同じ大きさのベ夕の図形を表すオブジェクトをも背景として扱うことができる。この場合、背景のみと判断されたときに圧縮処理部では、背景のみを表す指標とともに背景のデータ値も併せて対応付けるようにするとよい。
【００１１】
ここで、上記データ変換部は、上記全体画像を、オブジェクトの種別に応じて、相互に重ね合わせたときにその全体画像が再現する複数のプレーンに分けたときの各プレーンそれぞれに関し、１つのプレーン全域を複数の部分領域に分けたときの各部分領域ごとに順次にラスタイメージデータに変換するものであり、
上記圧縮処理部は、各プレーンそれぞれに関し、背景以外のオブジェクトを含む部分領域についてはその部分領域のラスタイメージデータに圧縮処理を施すとともに、背景のみの部分領域については、圧縮処理を施すことに代わり、背景のみであることを表わす指標を対応づけるものであることが好ましい。
【００１２】
オブジェクトには、写真画像のように連続的に階調が変化するものものと、テキストや図形のように境界がはっきりしているものとがある。そこで、非可逆圧縮方式であるものの比較的高い圧縮率で圧縮することができるＪＰＥＧ方式で写真画像を圧縮処理するとともに、圧縮率は比較的低いものの可逆圧縮方式であるパックビッツ（ＰａｃｋＢｉｔｓ）方式でテキストや図形を圧縮処理し、且つ背景のみの部分領域については圧縮処理を施すことに代わり指標を対応付けるというように、オブジェクトの種別に応じてラスタイメージデータに変換するとともに背景のみの部分領域については圧縮処理を施すことなく指標を対応付けるようにすると、ラスタイメージデータの量を小さく抑え且つ圧縮処理の負担を軽減したまま、品質の高い画像を表わす圧縮データを出力デバイス側に出力することができる。
【００１３】
また、上記目的を達成する本発明の画像処理プログラムは、プログラムを実行する情報処理装置内で実行され、その情報処理装置を、一様な背景の上に１つ以上のオブジェクトが配されてなる全体画像を表わす原画像データを取得してラスタイメージデータに変換し、そのラスタイメージデータを圧縮して出力する画像処理装置として動作させる画像処理プログラムであって、
上記情報処理装置を、
取得した原画像データにより表わされる全体画像全域を複数の部分領域に分けたときの各部分領域ごとに順次にラスタイメージデータに変換するデータ変換部と、
上記データ変換部により得られた各部分領域ごとのラスタイメージデータに、背景以外のオブジェクトを含む部分領域については圧縮処理を施すとともに、背景のみの部分領域については、圧縮処理を施すことに代わり、背景のみであることを表わす指標を対応づける圧縮処理部とを備えた画像処理装置として動作させることを特徴とする。
【００１４】
本発明の画像処理プログラムは、プログラムを実行する情報処理装置内で実行され、その情報処理装置を、上記画像処理装置として動作させるものであるため、小さなメモリ容量でラスタイメージデータを圧縮することができるとともに圧縮処理の負担が軽減される。
【００１５】
ここで、本発明の画像処理プログラムにおける上記データ変換部は、上記全体画像を、オブジェクトの種別に応じて、相互に重ね合わせたときにその全体画像が再現する複数のプレーンに分けたときの各プレーンそれぞれに関し、１つのプレーン全域を複数の部分領域に分けたときの各部分領域ごとに順次にラスタイメージデータに変換するものであり、
上記圧縮処理部は、各プレーンそれぞれに関し、背景以外のオブジェクトを含む部分領域についてはその部分領域のラスタイメージデータに圧縮処理を施すとともに、背景のみの部分領域については、圧縮処理を施すことに代わり、背景のみであることを表わす指標を対応づけるものであることが好ましい。
【００１６】
このようにすると、メモリ容量および圧縮処理の負担を軽減したまま、品質の高い画像を表わす圧縮データを出力デバイス側に出力することができる。
【００１７】
【発明の実施の形態】
以下、本発明の実施形態について説明する。
【００１８】
図１は、本発明の画像処理装置の一実施形態が組み込まれたパーソナルコンピュータの外観斜視図、図２はそのハードウェア構成図である。
【００１９】
このパーソナルコンピュータ１０は、外観構成上、本体装置１１、その本体装置１１からの指示に応じて表示画面１２ａ上に画像を表示する画像表示装置１２、本体装置１１にキー操作に応じた各種の情報を入力するキーボード１３、および、表示画面１２ａ上の任意の位置を指定することにより、その位置に表示された、例えばアイコン等に応じた指示を入力するマウス１４を備えている。この本体装置１１は、外観上、フレキシブルディスクを装填するためのフレキシブルディスク装填口１１ａ、およびＣＤ−ＲＯＭを装填するためのＣＤ−ＲＯＭ装填口１１ｂを有する。
【００２０】
本体装置１１の内部には、図２に示すように、各種プログラムを実行するＣＰＵ１、ハードディスク装置３に格納されたプログラムが読み出されＣＰＵ１での実行のために展開される主メモリ２、各種プログラムやデータ等が保存されたハードディスク装置３、フレキシブルディスク４＿１が装填され、その装填されたフレキシブルディスク４＿１をアクセスするフレキシブルディスクドライブ４、ＣＤ−ＲＯＭ５＿１をアクセスするＣＤ−ＲＯＭドライブ５、図示しないデジタルカメラやカラースキャナ等の入力デバイスと接続され、それら入力デバイスからの原画像データを受け取る入力インタフェース６、後述するプリンタと接続され、そのプリンタに画像データ（ＰＳ（ＰｏｓｔＳｃｒｉｐｔ）データ）を送る出力インタフェース７が内蔵されており、これらの各種要素と、さらに図１に示す画像表示装置１２、キーボード１３、およびマウス１４は、バス１５を介して相互に接続されている。
【００２１】
ここで、ＣＤ−ＲＯＭ５＿１には、このパーソナルコンピュータ１０を本発明の画像処理装置の一実施形態として動作させるための画像処理プログラムが記憶されており、そのＣＤ−ＲＯＭ５＿１はＣＤ−ＲＯＭドライブ５に装填され、そのＣＤ−ＲＯＭ５＿１に記憶された画像処理プログラムがこのパーソナルコンピュータ１０にアップロードされてハードディスク装置３に記憶される。こうしてパーソナルコンピュータ１０は本発明の画像処理装置の一実施形態として動作する。
【００２２】
ここで、この図１のパーソナルコンピュータ１０内で実行される、画像処理プログラム（本発明の画像処理プログラムの一実施形態に相当）について説明する。
【００２３】
図３は、本発明の画像処理プログラムの一実施形態が記憶されたＣＤ−ＲＯＭを示す概念図である。
【００２４】
図３に示すＣＤ−ＲＯＭ５＿１には、画像処理プログラム５＿１０が記憶されており、この画像処理プログラム５＿１０は、ラスタライズ処理ルーチン部５＿１１および圧縮処理ルーチン部５＿１２で構成されている。画像処理プログラム５＿１０の各部の細部については、本発明の画像処理装置の一実施形態の各部の作用とあわせて説明する。
【００２５】
図４は、本発明の画像処理装置の一実施形態の構成を示す図、図５は、画像処理プログラム５＿１０を図１のパーソナルコンピュータにインストールし、そのパーソナルコンピュータを本発明の画像処理装置の一実施形態として動作させたときの画像処理装置における圧縮処理の様子を示す図である。
【００２６】
図４に示す画像処理装置５０には、ラスタライズ部５＿１１１と圧縮処理部５＿１１２が備えられている。
【００２７】
ラスタライズ部５＿１１１は、本発明にいうデータ変換部に相当し、図３に示すラスタライズ処理ルーチン部５＿１１のプログラムの作用を受けて動作し、取得した原画像であるページ記述データにより表わされる全体画像６０（図５参照）全域を複数の部分領域に分けたときの各部分領域ごとに順次にラスタイメージデータに変換する。全体画像６０は、図５に示すように、一様な背景６０ａと、その背景６０ａの上に配された５つのオブジェクトであるサンプリング画像６０ｂ，テキスト６０ｃ，図形６０ｄ，図形６０ｅ，サンプリング画像６０ｆから構成されている。このラスタライズ部５＿１１１は、詳細には、図５に示すように、全体画像６０を、オブジェクトの種別に応じて、相互に重ね合わせたときに全体画像６０が再現する複数のプレーン（ここでは、サンプリング画像６０ｂ，６０ｆを含むＩプレーン６１と、テキスト６０ｃ，図形６０ｄ，６０ｅを含むＰプレーン６２の２つのプレーン）に分けたときの各プレーンそれぞれに関し、１つのプレーン全域を複数の部分領域に分けたときの各部分領域ごとに順次にラスタイメージデータに変換する。Ｉプレーン６１は７つの部分領域６１ａ，６１ｂ，６１ｃ，６１ｄ，６１ｅ，６１ｆ，６１ｇに分けられており、サンプリング画像６０ｂ，６０ｆは部分領域６１ａ，６１ｂ，６１ｃ，６１ｆ，６１ｇに含まれており、部分領域６１ｄ，６１ｅは背景６０ａのみである。一方、Ｐプレーン６２も７つの部分領域６２ａ，６２ｂ，６２ｃ，６２ｄ，６２ｅ，６２ｆ，６２ｇに分けられており、テキスト６０ｃ，図形６０ｄは部分領域６２ｃ，６２ｄ，６２ｅに含まれており、部分領域６２ａ，６２ｂ，６２ｆ，６２ｇは背景６０ａのみである。
【００２８】
圧縮処理部５＿１１２は、図３に示す圧縮処理ルーチン部５＿１２のプログラムの作用を受けて動作し、ラスタライズ部５＿１１１により得られたＩプレーン６１の、サンプリング画像６０ｂ，６０ｆを含む部分領域６１ａ，６１ｂ，６１ｃ，６１ｆ，６１ｇごとのラスタイメージデータについてはＪＰＥＧ方式で圧縮処理を施すとともに、背景６０ａのみの部分領域６１ｄ，６１ｅについては、背景６０ａのみであることを表わす空コード（本発明にいう指標の一例）を生成する。また、圧縮処理部５＿１１２は、Ｐプレーン６２の、テキスト６０ｃ，図形６０ｄ，６０ｅを含む部分領域６２ｃ，６２ｄ，６２ｅごとのラスタイメージデータについてはパックビッツ（ＰａｃｋＢｉｔｓ）方式で圧縮処理を施すとともに、背景６０ａのみの部分領域６２ａ，６２ｂ，６２ｆ，６２ｇについては、背景６０ａのみであることを表わす空コードを生成する
一般に、ページのなかに配置されるオブジェクトには各種あり、テキストや図形のように境界がはっきりしている性質のものと、写真（サンプル画像）のように連続的に階調が変化するものとがある。ここで、各種のオブジェクトの性質に対してそれに適した圧縮方式（例えば、写真のように連続的に階調が変化するものに対してはＪＰＥＧ方式、テキストや図形のように境界がはっきりしているものに対してはＰａｃｋＢｉｔｓ方式）がある。ここで、ページ全体を一度にまとめて圧縮する技術では、いずれかの圧縮方式に妥協することとなるが、本実施形態では、上述したように、それぞれに適した圧縮方法を採用してデータ圧縮するため、全体の圧縮量を減らすことができる。即ち、Ｉプレーン６１においては圧縮率の比較的高いＪＰＥＧ方式で、Ｐプレーン６２においてはＰａｃｋＢｉｔｓ方式で圧縮する。実際には、１ページ分のデータを２つのプレーンに分けて圧縮処理して出力デバイスに出力するため、ページ全体の中でオブジェクトが配されて（マーキングされて）いない部分領域の占める割合は高いことが期待される。特に、サンプリング画像の割合が非常に高い場合はＰプレーン６２のマーキングされる部分領域は非常に少なくなるため、そのＰプレーン６２の特定の部分領域には全くマーキングされない場合が起こりうる。逆に、サンプリング画像の割合が非常に低い場合はＩプレーン６１のマーキングされる部分領域は非常に少なくなるため、そのＩプレーン６１の特定の部分領域には全くマーキングされない場合が起こりうる。ここでは、Ｉプレーン６１の部分領域６１ｄ，６１ｅおよびＰプレーン６２の部分領域６２ａ，６２ｂ，６２ｆ，６２ｇは全くマーキングされない部分領域であり、これらの領域にはついては圧縮処理を施すことに代えて空コードを生成する。このようにすることにより、ラスタイメージデータの量を小さく抑え且つ圧縮処理の負担を軽減したまま、品質の高い画像を表わす圧縮データを出力デバイス側に出力することができる。尚、画像処理装置５０のメモリには、部分領域のラスタイメージデータ以外に各プレーンにおいてマーキングされているか否かを示す情報も格納される。従って、全体画像６０の圧縮にあたり、上記情報を確認することにより１プレーン６１，Ｐプレーン６２の部分領域にマーキングがされているか否かを即座に識別することができる。
【００２９】
画像処理装置５０から出力された圧縮データや空コードは出力デバイスに転送され、画像形成のために復号される。圧縮データに関しては通常の伸張処理をおこない、空コードに対しては空データ（０）を生成して復号する。
【００３０】
尚、本実施形態では、全体画像を２つのプレーンに分け、各プレーンそれぞれに関し、背景以外のオブジェクトを含む部分領域についてはその部分領域のラスタイメージデータに圧縮処理を施すとともに、背景のみの部分領域については空コードを生成する例で説明したが、これに限られるものではなく、本発明は、全体画像全域を複数の部分領域に分けたときの各部分領域ごとのラスタイメージデータに、背景以外のオブジェクトを含む部分領域については圧縮処理を施すとともに、背景のみの部分領域については、圧縮処理を施すことに代わり、背景のみであることを表わす指標を対応づけるものであればよい。
【００３１】
【発明の効果】
以上説明したように、本発明によれば、小さなメモリ容量でラスタイメージデータを圧縮することができるとともに圧縮処理の負担が軽減された画像処理装置および画像処理プログラムを提供することができる。
【図面の簡単な説明】
【図１】本発明の画像処理装置の一実施形態が組み込まれたパーソナルコンピュータの外観斜視図である。
【図２】図１に示すパーソナルコンピュータのハードウェア構成図である。
【図３】本発明の画像処理プログラムの一実施形態が記憶されたＣＤ−ＲＯＭを示す概念図である。
【図４】本発明の画像処理装置の一実施形態の構成を示す図である。
【図５】本発明の画像処理装置の一実施形態における圧縮処理の様子を示す図である。
【符号の説明】
１　ＣＰＵ
２　主メモリ
３　ハードディスク装置
４　フレキシブルディスクドライブ
４＿１　フレキシブルディスク
５　ＣＤ−ＲＯＭドライブ
５＿１　ＣＤ−ＲＯＭ
５＿１０　画像処理プログラム
５＿１１　ラスタライズ処理ルーチン部
５＿１２　圧縮処理ルーチン部
５＿１１１　ラスタライズ部
５＿１１２　圧縮処理部
６　入力インターフェース
７　出力インタフェース
１０　パーソナルコンピュータ
１２　画像表示装置
１３　キーボード
１４　マウス
１５　バス
５０　画像処理装置
６０　全体画像
６０ａ　背景
６０ｂ，６０ｆ　サンプリング画像
６０ｃ　テキスト
６０ｄ，６０ｅ　図形
６１　Ｉプレーン
６２　Ｐプレーン
６１ａ，６１ｂ，６１ｃ，６１ｄ，６１ｅ，６１ｆ，６１ｇ，６２ａ，６２ｂ，６２ｃ，６２ｄ，６２ｅ，６２ｆ，６２ｇ　部分領域
【図１】
2004088195.tif 000003
【図２】
2004088195.tif 000004
【図３】
2004088195.tif 000005
【図４】
2004088195.tif 000006
【図５】
2004088195.tif 000007